(57)【要約】【課題】それぞれフィルタ回路が接続される複数の信号処理装置が並列された場合でも信号減衰を生じない信号処理装置を提供する。【解決手段】信号処理回路２ａでは、スプリッタ２１ａに接続された電話機１２ａがオンフックの場合にスプリッタポート８１の接続部Ｓ＿Ｐ１とＳ＿Ｐ２とが切断状態になり、接続回路１８のインピーダンスが高くなり、ＬＩＮＥポート８０とスプリッタポート８１とを切断状態にする。コンデンサＣ１，Ｃ２は、ＬＩＮＥポート８０を介して入力した信号からデータ信号を抽出してモデムポート８２に出力する。【選択図】　　　図１
2004007549.tif 000002
【特許請求の範囲】
【請求項１】
信号を入力または出力する第１のインタフェースと、
信号を入力または出力する第２のインタフェースと、
前記第１のインタフェースと前記第２のインタフェースとの間に介在し、前記第２のインタフェースに接続される機器の状態に応じて、前記第１のインタフェースと前記第２のインタフェースとを接続状態および切断状態のいずれかにする接続回路と、
前記第１のインタフェースと前記第２のインタフェースとの間で前記接続回路に対して並列に接続されたハイパスフィルタ回路と
を有する信号処理装置。
【請求項２】
前記接続回路は、
前記第１のインタフェースから前記第２のインタフェースに向けて順方向となる第１のダイオードと、
前記第１のダイオードに並列に設けられ、前記第２のインタフェースから前記第１のインタフェースに向けて順方向となる第２のダイオードと、
前記第１ダイオードおよび前記第２のダイオードと直列に接続され、前記第１の状態と前記第２の状態との間におけるインピーダンス変動を抑制するための変動抑制手段と
を有する
請求項１に記載の信号処理装置。
【請求項３】
前記接続回路は、
前記第１のインタフェースから前記第２のインタフェースに向けて順方向となる第１のダイオードと、
前記第１のダイオードに並列に設けられ、前記第２のインタフェースから前記第１のインタフェースに向けて順方向となる第２のダイオードと、
前記第１ダイオードおよび前記第２のダイオードと直列に接続され、前記接続手段を介して伝送される信号の周波数に比例したインピーダンスを有するインピーダンス調整回路と
を有する
請求項１に記載の信号処理装置。
【請求項４】
前記第１の信号および前記第２の信号を伝送する第１の電線および第２の電線のそれぞれに設けられ、前記第１のインタフェースと前記第２のインタフェースとの間に介在する第１の前記接続回路および第２の前記接続回路
を有し、
前記第１の接続回路および前記第１の接続回路の前記インピーダンス調整回路は、それぞれリアクタである
請求項３に記載の信号処理装置。
【請求項５】
前記第１の接続回路の前記インピーダンス調整回路である第１の前記リアクタと、前記第２の接続回路の前記インピーダンス調整回路である第２の前記リアクタとが相互誘導を生じるように配設されている
請求項４に記載の信号処理装置。
【請求項６】
前記ハイパスフィルタ回路は、データ信号を透過し、音声信号を透過しない
請求項１〜５のいずれかに記載の信号処理装置。
【発明の詳細な説明】
【０００１】
【発明の属する技術分野】
本発明は、例えば、ｘＤＳＬ（Ｄｉｇｉｔａｌ　Ｓｕｂｓｃｒｉｂｅｒ　Ｌｉｎｅ）　において使用される、音声信号とデジタルデータ信号とを分離・合成する場合などに用いられる信号処理装置に関する。
【０００２】
【従来の技術】
電話回線を利用して、加入者が電話サービスをそのまま使用しながら、データ通信サービスの提供を受けることを可能にするｘＤＳＬ通信が知られている。
例えば、ＡＤＳＬ通信では、電話サービスとして用いられる音声周波数帯域である０〜４ＫＨｚよりも高い周波数帯域である２５ＫＨｚ〜１１０４ＫＨｚが、データ通信サービスに用いられる。
このようなサービスを受ける加入者宅では、電話回線の通信ポートに、例えば、ツイストペアなどの２つの電線からなる２軸ケーブルを介してスプリッタのＬＩＮＥポートが接続される。
また、スプリッタのＰＨＯＮＥポートに電話機が接続され、モデムポートにｘＤＳＬモデムが接続される。
これらのポートの各々は、上記通信ケーブルに対応する２つの電線がそれぞれ接続される２つの接続部を有している。
スプリッタは、電話回線を介して伝送されるアナログ信号から、０〜４ＫＨｚの音声信号を抽出するフィルタ回路を内蔵している。
このフィルタ回路としては、例えば、ラダー型のものが用いられ、第１の電線および第２の電線上でそれぞれ直列に接続された複数のコイルと、当該複数の第１のコイルの接合部と当該複数の第２のコイルの接合部との間に介在するコンデンサとを用いて構成される。
【０００３】
【発明が解決しようとする課題】
ところで、加入者宅では、電話回線の通信ポートに、複数のスプリッタが並列接続される場合がある。
この場合に、例えば、第１のスプリッタのＰＨＯＮＥポートに接続された第１の電話機がオンフック状態（非通話状態）の場合に、第１のスプリッタのＰＨＯＮＥポートの第１の電線および第２の電線が切断状態となっているため、第１のスプリッタのフィルタ回路を構成するコイル（Ｌ）とコンデンサ（Ｃ）とを直列接続した回路が、上記電話回線の通信ポートに接続される通信ケーブルの第１の電線と第２の電線との間に接続されることとなる。
その結果、第１の電線と第２の電線とを介して伝送される信号に減衰極が生じてしまい、第２のスプリッタのＰＨＯＮＥポートに接続された第２の電話機がオフフック状態（通話状態）のときに、当該第２の電話機を用いた通信で、ダイヤル信号の誤発信や、ファクシミリ、ナンバーディスプレイおよび情報提供サービスの動作不良が生じるという問題がある。
【０００４】
本発明はかかる事情に鑑みてなされたものであり、第２のインタフェースに接続された外部装置の動作状態によって第１のインタフェースに生じる信号が減衰することを回避できる信号処理装置を提供することを目的とする。
【０００５】
【課題を解決するための手段】
上記の目的を達成するため、本発明の信号処理装置は、信号を入力または出力する第１のインタフェースと、信号を入力または出力する第２のインタフェースと、前記第１のインタフェースと前記第２のインタフェースとの間に介在し、前記第２のインタフェースに接続される機器の状態に応じて、前記第１のインタフェースと前記第２のインタフェースとを接続状態および切断状態のいずれかにする接続回路と、前記第１のインタフェースと前記第２のインタフェースとの間で前記接続回路に対して並列に接続されたハイパスフィルタ回路とを有する。
【０００６】
また、本発明の信号処理装置は、好ましくは、前記接続回路は、前記第１のインタフェースから前記第２のインタフェースに向けて順方向となる第１のダイオードと、前記第１のダイオードに並列に設けられ、前記第２のインタフェースから前記第１のインタフェースに向けて順方向となる第２のダイオードと、前記第１ダイオードおよび前記第２のダイオードと直列に接続され、前記第１の状態と前記第２の状態との間におけるインピーダンス変動を抑制するための変動抑制手段とを有する。
【０００７】
また、本発明の信号処理装置は、好ましくは、前記接続回路は、前記第１のインタフェースから前記第２のインタフェースに向けて順方向となる第１のダイオードと、前記第１のダイオードに並列に設けられ、前記第２のインタフェースから前記第１のインタフェースに向けて順方向となる第２のダイオードと、前記第１ダイオードおよび前記第２のダイオードと直列に接続され、前記接続手段を介して伝送される信号の周波数に比例したインピーダンスを有するインピーダンス調整回路とを有する。
【０００８】
また、本発明の信号処理装置は、好ましくは、前記第１の信号および前記第２の信号を伝送する第１の電線および第２の電線のそれぞれに設けられ、前記第１のインタフェースと前記第２のインタフェースとの間に介在する第１の前記接続回路および第２の前記接続回路を有し、前記第１の接続回路および前記第１の接続回路の前記インピーダンス調整回路は、それぞれリアクタである。
【０００９】
また、本発明の信号処理装置は、好ましくは、前記第１の接続回路の前記インピーダンス調整回路である第１の前記リアクタと、前記第２の接続回路の前記インピーダンス調整回路である第２の前記リアクタとが相互誘導を生じるように配設されている。
【００１０】
また、本発明の信号処理装置は、好ましくは、前記ハイパスフィルタ回路は、データ信号を透過し、音声信号を透過しない。
【００１１】
【発明の実施の形態】
以下、本発明の実施形態に係わる通信システムについて説明する。
本発明の関連技術
まず、本発明の関連技術について説明する。
図１は、本関連技術の通信システム１の全体構成図である。
図１に示すように、通信システム１は、例えば、信号処理装置２ａ，２ｂ、スプリッタ２１ａ，２１ｂ、電話機１２ａ，１２ｂ、ＡＤＳＬモデム１３およびパーソナルコンピュータ１４を有する。
通信システム１では、電話回線の通信ポート３に対して、信号処理装置２ａおよびスプリッタ２１ａと、信号処理装置２ｂおよびスプリッタ２１ｂとが並列に接続されている。
通信ポート３では、音声周波数帯域である０〜４ＫＨｚの音声信号と、周波数帯２５ＫＨｚ〜１１０４ＫＨｚのデータ信号とを重畳した信号が入出力される。
ここで、音声信号は、電話機１２ａ，１２ｂの通話に用いられる信号である。
また、データ信号は、ＡＤＳＬモデム１３で変復調され、パーソナルコンピュータ１４を用いた通信で用いられる信号である。
通信システム１は、例えば、加入者の家庭内などに構築され、信号処理装置２ａおよびスプリッタ２１ａと、信号処理装置２ｂおよびスプリッタ２１ｂとが異なる部屋に配設されている。
【００１２】
以下、図１に示す通信システム１の各構成要素について説明する。
〔信号処理装置２ａ，２ｂ〕
信号処理装置２ａと２ｂとは、例えば、同じ構成を有している。
以下、信号処理装置２ａの構成を説明する。
図１に示すように、信号処理装置２ａは、例えば、ＬＩＮＥポート８０、スプリッタポート８１、モデムポート８２、接続回路１８、ハイパスフィルタ回路を構成するコンデンサＣ１，Ｃ２を有する。
【００１３】
ＬＩＮＥポート８０は、接続部Ｌ＿Ｐ１，Ｌ＿Ｐ２を有する。
接続部Ｌ＿Ｐ１には、ツイストペアなどの通信ケーブル５の電線５＿１の一端が接続される。電線５＿１の他端は、電話回線の通信ポート３の接続部Ｌ０＿Ｐ１に接続される。
接続部Ｌ＿Ｐ２には、通信ケーブル５の電線５＿２の一端が接続される。電線５＿２の他端は、電話回線の通信ポート３の接続部Ｌ０＿Ｐ２に接続される。
【００１４】
スプリッタポート８１は、接続部Ｓ＿Ｐ１，Ｓ＿Ｐ２を有する。
接続部Ｓ＿Ｐ１には、ツイストペアなどの通信ケーブル６の第１の電線の一端が接続される。通信ケーブル６の第１の電線の他端は、スプリッタ２１ａに接続される。
接続部Ｓ＿Ｐ２には、通信ケーブル６の第２の電線の一端が接続される。通信ケーブル６の第２の電線の他端は、スプリッタ２１ａに接続される。
【００１５】
モデムポート８２は、接続部Ｍ＿Ｐ１，Ｍ＿Ｐ２を有する。
接続部Ｍ＿Ｐ１には、ツイストペアなどの通信ケーブル７の第１の電線の一端が接続される。通信ケーブル７の第１の電線の他端は、ＡＤＳＬモデム１３に接続される。
接続部Ｍ＿Ｐ２には、通信ケーブル７の第２の電線の一端が接続される。通信ケーブル７の第２の電線の他端は、ＡＤＳＬモデム１３に接続される。
【００１６】
接続回路１８では、ＬＩＮＥポート８０の接続部Ｌ＿Ｐ１とスプリッタポート８１の接続部Ｓ＿Ｐ１との間の第１の電線上に、接続部Ｌ＿Ｐ１から接続部Ｓ＿Ｐ１に向けて順方向となるダイオードＤ１と、接続部Ｓ＿Ｐ１から接続部Ｌ＿Ｐ１に向けて順方向となるダイオードＤ２とが相互に並列に配設している。
ダイオードＤ１は、電話機１２ａがオフフック状態（通信ケーブル６の第１の電線と第２の電線とが接続状態となり、スプリッタポート８１で有効な信号が入力および出力される状態）となり、通信ポート３からスプリッタ２１ａに向けて電話回線電流が流れ、当該電話回線電流が順方向のバイアス電流となる場合に、インピーダンスが音声信号伝送可能な程度に小さくなる。
ダイオードＤ２は、電話機１２ａがオフフック状態となり、電話機１２ａから通信ポート３に向けて電話回線電流が流れ、これが順方向のバイアス電流となる場合に、インピーダンスが音声信号伝送可能な程度に小さくなる。
また、ダイオードＤ１，Ｄ２は、電話機１２ａがオンフック状態（通信ケーブル６の第１の電線と第２の電線とが切断状態となり、スプリッタポート８１で有効な信号が入力および出力されない状態）の場合に、電話回線電流が流れないため、ＬＩＮＥポート８０の接続部Ｌ＿Ｐ１とスプリッタポート８１の接続部Ｓ＿Ｐ１とが実質的に切断状態になる程度にインピーダンスが大きくなる。
【００１７】
また、接続回路１８では、ＬＩＮＥポート８０の接続部Ｌ＿Ｐ２とスプリッタポート８１の接続部Ｓ＿Ｐ１との間の第２の電線上に、接続部Ｌ＿Ｐ２から接続部Ｓ＿Ｐ２に向けて順方向となるダイオードＤ３と、接続部Ｓ＿Ｐ２から接続部Ｌ＿Ｐ２に向けて順方向となるダイオードＤ４とが相互に並列に配設されている。
ダイオードＤ３は、電話機１２ａがオフフック状態（通信ケーブル６の第１の電線と第２の電線とが接続状態）となり、通信ポート３から電話機１２ａに向けて電話回線電流が流れ、これが順方向のバイアス電流となる場合に、インピーダンスが音声信号伝送可能な程度に小さくなる。
ダイオードＤ４は、電話機１２ａがオフフック状態となり、電話機１２ａから通信ポート３に向けて電話回線電流が流れ、これが順方向のバイアス電流となる場合に、インピーダンスが音声信号伝送可能な程度に小さくなる。
また、ダイオードＤ３，Ｄ４は、電話機１２ａがオンフック状態（通信ケーブル６の第１の電線と第２の電線とが切断状態）の場合に、電話回線電流が流れないため、ＬＩＮＥポート８０の接続部Ｌ＿Ｐ２とスプリッタポート８１の接続部Ｓ＿Ｐ２とが実質的に切断状態になる程度にインピーダンスが大きくなる。
また、Ｒ２は、ダイオードに電話回線電流が、流れているときと、流れていないときのＬＩＮＥポートとスプリッタポートの間にデータ信号における損失を均一に保つため設けられている。
【００１８】
本関連技術では、このような接続回路１８をＬＩＮＥポート８０とスプリッタポート８１との間に設けたことで、電話機１２ａがオンフック状態で、後述するスプリッタ２１ａ内のローパスフィルタ回路を通信ケーブル５から切断することができる。
【００１９】
また、信号処理装置２ａでは、コンデンサＣ１とＣ２によってハイパスフィルタ回路が構成される。
コンデンサＣ１は、ＬＩＮＥポート８０の接続部Ｌ＿Ｐ１と、モデムポート８２の接続部Ｍ＿Ｐ１との間に介在する。
コンデンサＣ２は、ＬＩＮＥポート８０の接続部Ｌ＿Ｐ２と、モデムポート８２の接続部Ｍ＿Ｐ２との間に介在する。
コンデンサＣ１，Ｃ２によって構成されるハイパスフィルタ回路は、ＬＩＮＥポート８０を介して入力した信号から、音声周波数帯域である０〜４ＫＨｚの音声信号を減衰し（透過せず）、周波数帯２５ＫＨｚ〜１１０４ＫＨｚのデータ信号を透過してモデムポート８２に出力する。
【００２０】
〔スプリッタ２１ａ，２１ｂ〕
スプリッタ２１ａと２１ｂとは、例えば、同じ構成を有している。
以下、スプリッタ２１ａの構成を説明する。
図２は、図１に示すスプリッタ２１ａの構成図である。
図２に示すように、スプリッタ２１ａは、例えば、ＬＩＮＥポート１５、ＰＨＯＮＥポート１６、モデムポート１７、ローパスフィルタ回路２０およびハイパスフィルタ回路５１を有する。
【００２１】
ＬＩＮＥポート１５は、接続部Ｌ＿Ｐ１１，Ｌ＿Ｐ１２を有する。
接続部Ｌ＿Ｐ１１には、図１に示す通信ケーブル６の第１の電線の一端が接続される。当該第１の電線の他端は、信号処理装置２ａの接続部Ｓ＿Ｐ１に接続される。
接続部Ｌ＿Ｐ１２には、図１に示す通信ケーブル６の第２の電線の一端が接続される。当該第２の電線の他端は、信号処理装置２ａの接続部Ｓ＿Ｐ２に接続される。
【００２２】
ＰＨＯＮＥポート１６は、接続部Ｐ＿Ｐ１，Ｐ＿Ｐ２を有する。
接続部Ｐ＿Ｐ１には、図１に示すツイストペアなどの通信ケーブル８の第１の電線の一端が接続される。通信ケーブル８の第１の電線の他端は、電話機１２ａに接続される。
接続部Ｐ＿Ｐ２には、通信ケーブル７の第２の電線の一端が接続される。通信ケーブル８の第２の電線の他端は、電話機１２ａに接続される。
【００２３】
モデムポート１７は、接続部Ｍ＿Ｐ１１，Ｍ＿Ｐ１２を有する。本関連技術では、モデムポート１７は使用されていない。
ハイパスフィルタ回路５１は、コンデンサＣ１１，Ｃ１２を有し、データ信号を透過し、音声信号を透過しない。
【００２４】
ローパスフィルタ回路２０は、ＬＩＮＥポート１５を介して入力した信号から、周波数帯２５ＫＨｚ〜１１０４ＫＨｚのデータ信号を減衰し（透過せず）、音声周波数帯域である０〜４ＫＨｚの音声信号を透過してＰＨＯＮＥポート１６に出力する。
図３は、ラダー型のローパスフィルタ回路２０の構成の一例を説明するための図である。
図３に示すように、端子３０＿１，３０＿２，３１＿１，３１＿２を有する。
端子３０＿１は、接続部Ｌ＿Ｐ１１に接続されている。
端子３０＿２は、接続部Ｌ＿Ｐ１２に接続されている。
端子３１＿１は、接続部Ｐ＿Ｐ１に接続されている。
端子３１＿２は、接続部Ｐ＿Ｐ２に接続されている。
端子３０＿１と端子３１＿１との間には、コイルＬ１，Ｌ２が直列に接続されている。
端子３０＿２と端子３１＿２との間には、コイルＬ３，Ｌ４が直列に接続されている。
コイルＬ１とＬ２の接合部と、コイルＬ３とＬ４の接合部との間には、コンデンサＣ２１が設けられている。
端子３１＿１と端子３１＿２との間には、コンデンサＣ２２が設けられている。
ローパスフィルタ回路２０は、入力された信号の周波数が高くなるに従い、コイルＬ１〜Ｌ４のリアクタンスが大きくなり、一方、コンデンサＣ２１，Ｃ２２のリアクタンスが小さくなるため、減衰量が大きくなり、フィルタの出力信号が小さくなる。本関連技術では、周波数帯２５ＫＨｚ〜１１０４ＫＨｚのデータ信号が入力された場合に、減衰量が大きくなるように（当該データ信号を除去するように）、コイルＬ１〜Ｌ４およびコンデンサＣ２１，Ｃ２２の定数が決められている。
【００２５】
〔電話機１２ａ，１２ｂ〕
電話機１２ａと１２ｂとは、例えば、同じ構成を有している。
電話機１２ａは、通話時にオフフック状態となり、通信ケーブル８の第１の電線と第２の電線とを接続状態にする。
また、電話機１２ａは、非通話時にオンフック状態となり、通信ケーブル８の第１の電線と第２の電線とを切断状態にする。
【００２６】
〔ＡＤＳＬモデム１３〕
ＡＤＳＬモデム１３は、通信ケーブル７を介して信号処理装置２ａのモデムポート８２から入力したデータ信号を誤り訂正および復調してパーソナルコンピュータ１４に出力する。
また、ＡＤＳＬモデム１３は、通信ケーブル９の第１の電線および第２の電線を介してＰＣ１４から入力したデータ信号を変調して通信ケーブル７を介して信号処理装置２ａのモデムポート８２に出力する。
ＡＤＳＬモデム１３におけるデータ信号の変復調には、たとえば、ＤＭＴ（Ｄｉｓｃｒｅｔｅ　Ｍｕｌｔｉ　Ｔｏｎｅ　Ｍｏｄｕｒａｔｉｏｎ）方式が用いられる。ＤＭＴ方式は、データ信号の伝送効率を高めるために、多重搬送波を用いており、各多重搬送波の伝送信号はそれぞれ帯域幅が同一で、その中心周波数が異なるＱＡＭ（Ｑｕａｄｒａｔｕｒｅ　Ａｍｐｌｉｔｕｄｅ／Ｐｈａｓｅ　Ｍｏｄｕｌａｔｉｏｎ）　変調された多数個のサブチャネルの和で構成される。
【００２７】
〔パーソナルコンピュータ１４〕
パーソナルコンピュータ１４は、ＣＰＵ、メモリおよびＩ／Ｆを備え、ＡＤＳＬモデム１３、スプリッタ２１ａ、並びに通信ポート３に接続された電話回線を介して他のサーバ装置などとの間で、データ信号の送受信を行う。
【００２８】
以下、上述した通信システム１の動作例を説明する。
当該動作例では、電話機１２ａがオンフック状態、電話機１２ｂがオフフック状態の場合を説明する。
この場合には、電話機１２ａによって、スプリッタ２１ａのＰＨＯＮＥポート１６の接続部Ｐ＿Ｐ１とＰ＿Ｐ２とが切断状態になっている。
これにより、信号処理装置２ａの接続回路１８のダイオードＤ１，Ｄ２，Ｄ３，Ｄ４には電話回線電流は流れず、接続回路１８は大きなインピーダンスを有し、ＬＩＮＥポート８０とスプリッタポート８１とが実質的に切断状態になる。すなわち、ケーブル５とスプリッタ２１ａのローパスフィルタ回路２０とが切断状態になる。
【００２９】
また、電話機１２ｂによって、スプリッタ２１ｂのＰＨＯＮＥポート１６の接続部Ｐ＿Ｐ１とＰ＿Ｐ２とが接続状態になっている。
そのため、信号処理装置２ｂの接続回路１８のダイオードＤ１，Ｄ２，Ｄ３，Ｄ４には電話回線電流が流れ、接続回路１８は通信可能な程度に十分に小さなインピーダンスを有し、ＬＩＮＥポート８０とスプリッタポート８１とが接続状態になる。すなわち、ケーブル５とスプリッタ２１ｂのローパスフィルタ回路２０とが接続状態になる。
信号処理装置２ｂでは、通信ポート３からの信号が通信ケーブル５を介してＬＩＮＥポート８０で受信され、当該受信した信号が接続回路１８、スプリッタポート８１、ＬＩＮＥポート１５を介してスプリッタ２１ｂ内のローパスフィルタ回路２０に出力される。
そして、ローパスフィルタ回路２０では、ＬＩＮＥポート１５から入力した信号から、周波数帯２５ＫＨｚ〜１１０４ＫＨｚのデータ信号を減衰し（透過せず）、音声周波数帯域である０〜４ＫＨｚの音声信号を透過してＰＨＯＮＥポート１６に出力する。
【００３０】
電話機１２ｂは、スプリッタ２１ｂのＰＨＯＮＥポート１６から入力した音声信号に応じた音声出力を行う。
また、電話機１２ｂからの音声信号が、スプリッタ２１ｂのＰＨＯＮＥポート１６を介してローパスフィルタ回路２０に入力され、ローパスフィルタ回路２０、ＬＩＮＥポート１５、並びに信号処理装置２ｂを介して通信ポート３に出力される。
一方、信号処理装置２ａでは、通信ポート３からの信号が通信ケーブル５およびＬＩＮＥポート８０を介して、ハイパスフィルタ回路を構成するコンデンサＣ１，Ｃ２に入力される。
そして、コンデンサＣ１，Ｃ２において、ＬＩＮＥポート８０を介して入力した信号から、音声周波数帯域である０〜４ＫＨｚの音声信号が減衰され、周波数帯２５ＫＨｚ〜１１０４ＫＨｚのデータ信号を透過してモデムポート８２に出力される。
そして、当該データ信号が、モデムポート８２から通信ケーブル７を介してＡＤＳＬモデム１３に出力され、ＡＤＳＬモデム１３で復調された後に、通信ケ−ブル９を介してパーソナルコンピュータ１４に出力される。
また、パーソナルコンピュータ１４からのデータ信号が、通信ケーブル９を介してＡＤＳＬモデム１３に出力され、ＡＤＳＬモデム１３で変調された後に、信号処理装置２ａのモデムポート８２、ハイパスフィルタ回路を構成するコンデンサＣ１，Ｃ２、ＬＩＮＥポート８０、並びに通信ケーブル５を介して通信ポート３に出力される。
【００３１】
以上説明したように、通信システム１では、上述した構成の信号処理装置２ａ，２ｂをそれぞれスプリッタ２１ａ，２１ｂの前段に設け、電話機１２ａがオンフック状態でケーブル５とスプリッタ２１ａ内のローパスフィルタ回路２０とが切断状態になる。
そのため、従来のように、図３に示すスプリッタ２１ａのローパスフィルタ回路２０のコイルＬ１、コンデンサＣ２１およびコイルＬ３を直列接続し、コイルＬ２、コンデンサＣ２２およびコイルＬ４を直列に接続した回路をコンデンサ２１に対して並列に接続した回路が、通信ケーブル５の電線５＿１と５＿２との間に挿入されることはなく、電線５＿１と５＿２を伝送する信号に減衰極が生じることを回避でき、高い通信品質を得ることができる。
【００３２】
関連技術の変形例
上述した関連技術では、信号処理装置２ａ，２ｂの構成としてコンデンサＣ１，Ｃ２から構成されるハイパスフィルタ回路を備えた場合を例示したが、図４に示すように、ＬＩＮＥポート８０、接続回路１８およびスプリッタポート８１を備え、ハイパスフィルタ回路を備えていない信号処理装置２０２ｂを用いてもよい。
【００３３】
以下、本発明の実施形態について説明する。
第１実施形態
第１実施形態は、本発明に対応した実施形態である。
図５は、本実施形態の通信システム１０１の全体構成図である。
図５に示すように、通信システム１０１は、例えば、信号処理装置３０２ａ，３０２ｂ、スプリッタ２１ａ，２１ｂ、電話機１２ａ，１２ｂ、ＡＤＳＬモデム１３およびパーソナルコンピュータ１４を有する。
図５において、図１と同じ符号を付した構成要素は、第１実施形態で説明したものと同じである。
すなわち、通信システム１０１は、信号処理装置３０２ａ，３０２ｂに特徴を有している。
通信システム１０１では、電話回線の通信ポート３に対して、信号処理装置３０２ａおよびスプリッタ２１ａと、信号処理装置３０２ｂおよびスプリッタ２１ｂとが並列に接続されている。
なお、信号処理装置３０２ａ，３０２ｂが本発明の信号処理装置に対応している。
【００３４】
以下、信号処理装置３０２ａ，３０２ｂについて説明する。
信号処理装置３０２ａと３０２ｂとは、例えば、同じ構成を有している。
以下、信号処理装置３０２ａの構成を説明する。
図５に示すように、信号処理装置３０２ａは、例えば、ＬＩＮＥポート８０、スプリッタポート８１、接続回路２１８，２１９およびハイパスフィルタ回路４０を有する。
ここで、ＬＩＮＥポート８０が本発明の第１のインタフェースに対応し、スプリッタポート８１が本発明の第２のインタフェースに対応し、接続回路２１８，２１９が本発明の接続回路に対応し、ハイパスフィルタ回路４０が本発明のハイパスフィルタ回路に対応している。
また、抵抗Ｒ１，Ｒ２が本発明の変動抑制手段に対応している。
【００３５】
ＬＩＮＥポート８０は、接続部Ｌ＿Ｐ１，Ｌ＿Ｐ２を有する。
接続部Ｌ＿Ｐ１には、ツイストペアなどの通信ケーブル５の電線５＿１の一端が接続される。電線５＿１の他端は、電話回線の通信ポート３の接続部Ｌ０＿Ｐ１に接続される。
接続部Ｌ＿Ｐ２には、通信ケーブル５の電線５＿２の一端が接続される。電線５＿２の他端は、電話回線の通信ポート３の接続部Ｌ０＿Ｐ２に接続される。
【００３６】
スプリッタポート８１は、接続部Ｓ＿Ｐ１，Ｓ＿Ｐ２を有する。
接続部Ｓ＿Ｐ１には、ツイストペアなどの通信ケーブル６の第１の電線の一端が接続される。通信ケーブル６の第１の電線の他端は、スプリッタ２１ａに接続される。
接続部Ｓ＿Ｐ２には、通信ケーブル６の第２の電線の一端が接続される。通信ケーブル６の第２の電線の他端は、スプリッタ２１ａ接続される。
【００３７】
ハイパスフィルタ回路４０は、ＬＩＮＥポート８０の接続部Ｌ＿Ｐ１とスプリッタポート８１の接続部Ｓ＿Ｐ１とを結ぶ第１の電線上に設けられたコンデンサと、ＬＩＮＥポート８０の接続部Ｌ＿Ｐ２とスプリッタポート８１の接続部Ｓ＿Ｐ２とを結ぶ第２の電線上に設けられたコンデンサとを有する。
ハイパスフィルタ回路４０は、上述したデータ信号を透過するが、音声信号は透過しない。すなわち、ハイパスフィルタ回路４０は、音声信号の周波数帯域では、ＬＩＮＥポート８０とスプリッタポート８１とを切断する程度に大きなインピーダンスを有する。
図６は、図５に示すハイパスフィルタ回路４０の構成図である。
図６に示すように、ハイパスフィルタ回路４０は、図５に示す接続部Ｌ＿Ｐ１，Ｌ＿Ｐ２，Ｓ＿Ｐ１，Ｓ＿Ｐ２にそれぞれ接続される接続部５０＿１，５０＿２，５１＿１，５１＿２を有する。
接続部５０＿１と５１＿１との間には、コンデンサＣ３１，Ｃ３２が直列に接続されている。
接続部５０＿２と５１＿２との間には、コンデンサＣ３３，Ｃ３４が直列に接続されている。
また、コンデンサＣ３１とＣ３２の接合部と、コンデンサＣ３３とＣ３４の接合部との間に、コイルＬ３１が介在している。
【００３８】
接続回路２１８は、上記第１の電線上に、ハイパスフィルタ回路４０と並列に設けられている。
接続回路２１８では、ＬＩＮＥポート８０の接続部Ｌ＿Ｐ１とスプリッタポート８１の接続部Ｓ＿Ｐ１との間の第１の電線上に、接続部Ｌ＿Ｐ１から接続部Ｓ＿Ｐ１に向けて順方向となるダイオードＤ１と、接続部Ｓ＿Ｐ１から接続部Ｌ＿Ｐ１に向けて順方向となるダイオードＤ２とが相互に並列に配設している。
ダイオードＤ１は、電話機１２ａがオフフック状態（通信ケーブル６の第１の電線と第２の電線とが接続状態）となり、通信ポート３からスプリッタ２１ａに向けて電話回線電流が流れている場合に、インピーダンスが音声信号伝送可能な程度に小さくなる。
ダイオードＤ２は、電話機１２ａがオフフック状態となり、電話機１２ａから通信ポート３に向けて電話回線電流が流れている場合に、インピーダンスが音声信号伝送可能な程度に小さくなる。
また、ダイオードＤ１，Ｄ２は、電話機１２ａがオンフック状態（通信ケーブル６の第１の電線と第２の電線とが切断状態）の場合に、電話回線電流が流れないため、ＬＩＮＥポート８０の接続部Ｌ＿Ｐ１とスプリッタポート８１の接続部Ｓ＿Ｐ１とが実質的に切断状態になる程度にインピーダンスが大きくなる。
【００３９】
接続回路２１９は、上記第２の電線上に、ハイパスフィルタ回路４０と並列に設けられている。
接続回路２１９では、ＬＩＮＥポート８０の接続部Ｌ＿Ｐ２とスプリッタポート８１の接続部Ｓ＿Ｐ２との間の第２の電線上に、接続部Ｌ＿Ｐ２から接続部Ｓ＿Ｐ２に向けて順方向となるダイオードＤ３と、接続部Ｓ＿Ｐ２から接続部Ｌ＿Ｐ２に向けて順方向となるダイオードＤ４とが相互に並列に配設されている。
ダイオードＤ３は、電話機１２ａがオフフック状態（通信ケーブル６の第１の電線と第２の電線とが接続状態）となり、通信ポート３から電話機１２ａに向けて電話回線電流が流れている場合に、インピーダンスが音声信号伝送可能な程度に小さくなる。
ダイオードＤ４は、電話機１２ａがオフフック状態となり、電話機１２ａから通信ポート３に向けて電話回線電流が流れている場合に、インピーダンスが音声信号伝送可能な程度に小さくなる。
また、ダイオードＤ３，Ｄ４は、電話機１２ａがオンフック状態（通信ケーブル６の第１の電線と第２の電線とが切断状態）の場合に、電話回線電流が流れないため、インピーダンスが、ＬＩＮＥポート８０の接続部Ｌ＿Ｐ２とスプリッタポート８１の接続部Ｓ＿Ｐ２とが実質的に切断状態になる程度に大きくなる。
ダイオードＤ１のカソードおよびダイオードＤ２のアノードと、第１の電線との間には抵抗Ｒ１が設けられている。
ダイオードＤ３のカソードおよびダイオードＤ４のアノードと、第２の電線との間には抵抗Ｒ２が設けられている。
抵抗Ｒ１，Ｒ２は、本発明の変動抑制手段に対応し、ダイオードＤ１，Ｄ２に電話回線電流が、流れているときと、流れていないときのＬＩＮＥポートとスプリッタポートの間のインピーダンスの変動を抑制し、データ信号によるエネルギ損失を均一に保つ機能を有している。
【００４０】
信号処理装置３０２ａでは、このような接続回路２１８，２１９をＬＩＮＥポート８０とスプリッタポート８１との間に設けたことで、電話機１２ａがオンフック状態で、後述するスプリッタ２１ａ内のローパスフィルタ回路を通信ケーブル５から切断することができる。
また、信号処理装置３０２ａでは、ＬＩＮＥポート８０とスプリッタポート８１との間に、接続回路２１８および接続回路２１９と並列にハイパスフィルタを設けたことで、ＬＩＮＥポート８０とスプリッタポート８１との間では、データ信号を常時伝送することができる。
【００４１】
以下、上述した通信システム１０１の動作例を説明する。
当該動作例では、電話機１２ａがオンフック状態、電話機１２ｂがオフフック状態の場合を説明する。
この場合には、電話機１２ａによって、スプリッタ２１ａのＰＨＯＮＥポート１６の接続部Ｐ＿Ｐ１とＰ＿Ｐ２とが切断状態になっている。
これにより、信号処理装置３０２ａの接続回路２１８のダイオードＤ１，Ｄ２および接続回路２１９のダイオードＤ３，Ｄ４には電話回線電流は流れず、接続回路２１８，２１９は大きなインピーダンスを有し、接続回路２１８，２１９を介した経路では、ＬＩＮＥポート８０とスプリッタポート８１とが実質的に切断状態になる。これにより、音声信号は、接続回路２１８，２１９を介した経路を通過しない。また、音声信号は、上述したようにハイパスフィルタ回路４０を透過しないため、音声信号の周波数帯域では、ケーブル５とスプリッタ２１ａ内のローパスフィルタ回路２０とが切断状態になる。
【００４２】
また、電話機１２ｂによって、スプリッタ２１ｂのＰＨＯＮＥポート１６の接続部Ｐ＿Ｐ１とＰ＿Ｐ２とが接続状態になっている。
そのため、信号処理装置３０２ｂの接続回路２１８のダイオードＤ１，Ｄ２および接続回路２１９のダイオードＤ３，Ｄ４には電話回線電流が流れ、接続回路２１８，２１９は通信可能な程度に十分に小さなインピーダンスを有し、ＬＩＮＥポート８０とスプリッタポート８１とが接続状態になる。すなわち、ケーブル５とスプリッタ２１ｂのローパスフィルタ回路２０とが接続状態になる。
信号処理装置３０２ｂでは、通信ポート３からの信号が通信ケーブル５を介してＬＩＮＥポート８０で受信され、当該受信した信号が接続回路２１８，２１９、スプリッタポート８１、ＬＩＮＥポート１５を介してスプリッタ２１ｂ内のローパスフィルタ回路２０に出力される。
そして、ローパスフィルタ回路２０では、ＬＩＮＥポート１５から入力した信号から、周波数帯２５ＫＨｚ〜１１０４ＫＨｚのデータ信号を減衰し（透過せず）、音声周波数帯域である０〜４ＫＨｚの音声信号を透過してＰＨＯＮＥポート１６に出力する。
【００４３】
電話機１２ｂは、スプリッタ２１ｂのＰＨＯＮＥポート１６から入力した音声信号に応じた音声出力を行う。
また、電話機１２ｂからの音声信号が、スプリッタ２１ｂのＰＨＯＮＥポート１６を介してローパスフィルタ回路２０に入力され、ローパスフィルタ回路２０、ＬＩＮＥポート１５、信号処理装置３０２ｂ、並びに通信ケーブル５を介して通信ポート３に出力される。
【００４４】
一方、信号処理装置３０２ａのハイパスフィルタ回路４０は、上述したように、データ信号を常時透過し、音声信号は常時透過しない。
そのため、信号処理装置３０２ａのハイパスフィルタ回路４０において、ＬＩＮＥポート８０を介して入力した信号から、音声周波数帯域である０〜４ＫＨｚの音声信号が減衰され、周波数帯２５ＫＨｚ〜１１０４ＫＨｚのデータ信号を透過してスプリッタポート８１に出力される。
そして、当該データ信号が、スプリッタポート８１から、図２に示すスプリッタ２１ａのＬＩＮＥポート１５、ハイパスフィルタ回路５１およびモデムポート１７から通信ケーブル７を介してＡＤＳＬモデム１３に出力され、ＡＤＳＬモデム１３で復調された後に、通信ケーブル９を介してパーソナルコンピュータ１４に出力される。
また、パーソナルコンピュータ１４からのデータ信号が、通信ケーブル９を介してＡＤＳＬモデム１３に出力され、ＡＤＳＬモデム１３で変調された後に、スプリッタ２１ａ内のモデムポート１７およびハイパスフィルタ回路５１、ＬＩＮＥポート１５、通信ケーブル６、信号処理装置３０２ａ内のスプリッタポート８１、ハイパスフィルタ回路４０、ＬＩＮＥポート８０、並びに通信ケーブル５を介して通信ポート３に出力される。
【００４５】
以上説明したように、通信システム１０１によっても第１実施形態の通信システム１と同様の効果が得られる。
さらに、通信システム１０１によれば、図５に示すように、信号処理装置３０２ａ，３０２ｂの各々に抵抗Ｒ１，Ｒ２を設けたことで、ダイオードＤ１，Ｄ２，Ｄ３，Ｄ４に電話回線電流が、流れているときと、流れていないときのＬＩＮＥポートとスプリッタポートの間のインピーダンスの変動を抑制し、データ信号によるエネルギ損失を均一に保つことができる。
【００４６】
第２実施形態
図７は、本実施形態の通信システム２０１の全体構成図である。
図７に示すように、通信システム２０１は、例えば、信号処理装置４０２ａ，４０２ｂ、スプリッタ２１ａ，２１ｂ、電話機１２ａ，１２ｂ、ＡＤＳＬモデム１３およびパーソナルコンピュータ１４を有する。
図７において、図１と同じ符号を付した構成要素は、第１実施形態で説明したものと同じである。
すなわち、通信システム２０１は、信号処理装置４０２ａ，４０２ｂに特徴を有している。
通信システム２０１では、電話回線の通信ポート３に対して、信号処理装置４０２ａおよびスプリッタ２１ａと、信号処理装置４０２ｂおよびスプリッタ２１ｂとが並列に接続されている。
なお、信号処理装置４０２ａ，４０２ｂが本発明の信号処理装置に対応している。
【００４７】
以下、信号処理装置４０２ａ，４０２ｂについて説明する。
信号処理装置４０２ａと４０２ｂとは、例えば、同じ構成を有している。
以下、信号処理装置４０２ａの構成を説明する。
図７に示すように、信号処理装置４０２ａは、例えば、ＬＩＮＥポート８０、スプリッタポート８１、接続回路４１８，４１９およびハイパスフィルタ回路４０を有する。
ここで、ＬＩＮＥポート８０が本発明の第１のインタフェースに対応し、スプリッタポート８１が本発明の第２のインタフェースに対応し、接続回路４１８，４１９が本発明の接続回路に対応し、ハイパスフィルタ回路４０が本発明のフィルタ回路に対応している。
また、コイルＬａが本発明のインピーダンス調整回路または第１のリアクタに対応し、コイルＬｂが本発明のインピーダンス調整回路または第２のリアクタに対応している。
【００４８】
ＬＩＮＥポート８０は、接続部Ｌ＿Ｐ１，Ｌ＿Ｐ２を有する。
接続部Ｌ＿Ｐ１には、ツイストペアなどの通信ケーブル５の電線５＿１の一端が接続される。電線５＿１の他端は、電話回線の通信ポート３の接続部Ｌ０＿Ｐ１に接続される。
接続部Ｌ＿Ｐ２には、通信ケーブル５の電線５＿２の一端が接続される。電線５＿２の他端は、電話回線の通信ポート３の接続部Ｌ０＿Ｐ２に接続される。
【００４９】
スプリッタポート８１は、接続部Ｓ＿Ｐ１，Ｓ＿Ｐ２を有する。
接続部Ｓ＿Ｐ１には、ツイストペアなどの通信ケーブル６の第１の電線の一端が接続される。通信ケーブル６の第１の電線の他端は、スプリッタ２１ａに接続される。
接続部Ｓ＿Ｐ２には、通信ケーブル６の第２の電線の一端が接続される。通信ケーブル６の第２の電線の他端は、スプリッタ２１ａ接続される。
【００５０】
ハイパスフィルタ回路４０は、ＬＩＮＥポート８０の接続部Ｌ＿Ｐ１とスプリッタポート８１の接続部Ｓ＿Ｐ１とを結ぶ第１の電線上に設けられたコンデンサと、ＬＩＮＥポート８０の接続部Ｌ＿Ｐ２とスプリッタポート８１の接続部Ｓ＿Ｐ２とを結ぶ第２の電線上に設けられたコンデンサとを有する。
ハイパスフィルタ回路４０は、上述したデータ信号を透過するが、音声信号は透過しない。すなわち、ハイパスフィルタ回路４０は、音声信号の周波数帯域では、ＬＩＮＥポート８０とスプリッタポート８１とを切断する程度に大きなインピーダンスを有する。
【００５１】
接続回路４１８は、上記第１の電線上に、ハイパスフィルタ回路４０と並列に設けられている。
接続回路４１８では、ＬＩＮＥポート８０の接続部Ｌ＿Ｐ１とスプリッタポート８１の接続部Ｓ＿Ｐ１との間の第１の電線上に、接続部Ｌ＿Ｐ１から接続部Ｓ＿Ｐ１に向けて順方向となるダイオードＤ１と、接続部Ｓ＿Ｐ１から接続部Ｌ＿Ｐ１に向けて順方向となるダイオードＤ２とが相互に並列に配設している。
ダイオードＤ１は、電話機１２ａがオフフック状態（通信ケーブル６の第１の電線と第２の電線とが接続状態）となり、通信ポート３からスプリッタ２１ａに向けて電話回線電流が流れている場合に、インピーダンスが音声信号伝送可能な程度に小さくなる。
ダイオードＤ２は、電話機１２ａがオフフック状態となり、電話機１２ａから通信ポート３に向けて電話回線電流が流れている場合に、インピーダンスが音声信号伝送可能な程度に小さくなる。
また、ダイオードＤ１，Ｄ２は、電話機１２ａがオンフック状態（通信ケーブル６の第１の電線と第２の電線とが切断状態）の場合に、電話回線電流が流れないため、ＬＩＮＥポート８０の接続部Ｌ＿Ｐ１とスプリッタポート８１の接続部Ｓ＿Ｐ１とが実質的に切断状態になる程度にインピーダンスが大きくなる。
【００５２】
接続回路４１９は、上記第２の電線上に、ハイパスフィルタ回路４０と並列に設けられている。
接続回路４１９では、ＬＩＮＥポート８０の接続部Ｌ＿Ｐ２とスプリッタポート８１の接続部Ｓ＿Ｐ２との間の第２の電線上に、接続部Ｌ＿Ｐ２から接続部Ｓ＿Ｐ２に向けて順方向となるダイオードＤ３と、接続部Ｓ＿Ｐ２から接続部Ｌ＿Ｐ２に向けて順方向となるダイオードＤ４とが相互に並列に配設されている。
ダイオードＤ３は、電話機１２ａがオフフック状態（通信ケーブル６の第１の電線と第２の電線とが接続状態）となり、通信ポート３から電話機１２ａに向けて電話回線電流が流れている場合に、インピーダンスが音声信号伝送可能な程度に小さくなる。
ダイオードＤ４は、電話機１２ａがオフフック状態となり、電話機１２ａから通信ポート３に向けて電話回線電流が流れている場合に、インピーダンスが音声信号伝送可能な程度に小さくなる。
また、ダイオードＤ３，Ｄ４は、電話機１２ａがオンフック状態（通信ケーブル６の第１の電線と第２の電線とが切断状態）の場合に、電話回線電流が流れないため、インピーダンスが、ＬＩＮＥポート８０の接続部Ｌ＿Ｐ２とスプリッタポート８１の接続部Ｓ＿Ｐ２とが実質的に切断状態になる程度に大きくなる。
ダイオードＤ１のカソードおよびダイオードＤ２のアノードと、第１の電線との間にはコイルＬａが設けられている。
ダイオードＤ３のカソードおよびダイオードＤ４のアノードと、第２の電線との間にはコイルＬｂが設けられている。
コイルＬａ，Ｌｂは、本発明のインピーダンス調整手段に対応し、流れる信号（電流）の周波数に比例したインピーダンスを持つ。
これにより、データ信号の周波数帯に比べて低い音声周波数帯域における減衰を第２実施形態に比べて小さくでき、第２実施形態に比べて電話機１２ａ，１２ｂに供給する音声信号の振幅レベルを高めることができる。
【００５３】
信号処理装置４０２ａでは、このような接続回路４１８，４１９をＬＩＮＥポート８０とスプリッタポート８１との間に設けたことで、電話機１２ａがオンフック状態で、後述するスプリッタ２１ａ内のローパスフィルタ回路を通信ケーブル５から切断することができる。
また、信号処理装置４０２ａでは、ＬＩＮＥポート８０とスプリッタポート８１との間に、接続回路４１８および接続回路４１９と並列にハイパスフィルタを設けたことで、ＬＩＮＥポート８０とスプリッタポート８１との間では、データ信号を常時伝送することができる。
【００５４】
以下、上述した通信システム２０１の動作例を説明する。
当該動作例では、電話機１２ａがオンフック状態、電話機１２ｂがオフフック状態の場合を説明する。
この場合には、電話機１２ａによって、スプリッタ２１ａのＰＨＯＮＥポート１６の接続部Ｐ＿Ｐ１とＰ＿Ｐ２とが切断状態になっている。
これにより、信号処理装置４０２ａの接続回路４１８のダイオードＤ１，Ｄ２および接続回路４１９のダイオードＤ３，Ｄ４には電話回線電流は流れず、接続回路４１８，４１９は大きなインピーダンスを有し、接続回路４１８，４１９を介した経路では、ＬＩＮＥポート８０とスプリッタポート８１とが実質的に切断状態になる。これにより、音声信号は、接続回路４１８，４１９を介した経路を通過しない。また、音声信号は、上述したようにハイパスフィルタ回路４０を透過しないため、音声信号の周波数帯域では、ケーブル５とスプリッタ２１ａ内のローパスフィルタ回路２０とが切断状態になる。
【００５５】
また、電話機１２ｂによって、スプリッタ２１ｂのＰＨＯＮＥポート１６の接続部Ｐ＿Ｐ１とＰ＿Ｐ２とが接続状態になっている。
そのため、信号処理装置４０２ｂの接続回路４１８のダイオードＤ１，Ｄ２および接続回路４１９のダイオードＤ３，Ｄ４には電話回線電流が流れ、接続回路４１８，４１９、並びにコイルＬａ，Ｌｂは通信可能な程度に十分に小さなインピーダンスを有し、ＬＩＮＥポート８０とスプリッタポート８１とが接続状態になる。すなわち、ケーブル５とスプリッタ２１ｂのローパスフィルタ回路２０とが接続状態になる。
信号処理装置４０２ｂでは、通信ポート３からの信号が通信ケーブル５を介してＬＩＮＥポート８０で受信され、当該受信した信号が接続回路４１８，４１９、スプリッタポート８１、ＬＩＮＥポート１５を介してスプリッタ２１ｂ内のローパスフィルタ回路２０に出力される。
そして、ローパスフィルタ回路２０では、ＬＩＮＥポート１５から入力した信号から、周波数帯２５ＫＨｚ〜１１０４ＫＨｚのデータ信号を減衰し（透過せず）、音声周波数帯域である０〜４ＫＨｚの音声信号を透過してＰＨＯＮＥポート１６に出力する。
【００５６】
電話機１２ｂは、スプリッタ２１ｂのＰＨＯＮＥポート１６から入力した音声信号に応じた音声出力を行う。
また、電話機１２ｂからの音声信号が、スプリッタ２１ｂのＰＨＯＮＥポート１６を介してローパスフィルタ回路２０に入力され、ローパスフィルタ回路２０、ＬＩＮＥポート１５、信号処理装置４０２ｂ、並びに通信ケーブル５を介して通信ポート３に出力される。
【００５７】
一方、信号処理装置４０２ａのハイパスフィルタ回路４０は、上述したように、データ信号を常時透過し、音声信号は常時透過しない。
そのため、信号処理装置４０２ａのハイパスフィルタ回路４０において、ＬＩＮＥポート８０を介して入力した信号から、音声周波数帯域である０〜４ＫＨｚの音声信号が減衰され、周波数帯２５ＫＨｚ〜１１０４ＫＨｚのデータ信号を透過してスプリッタポート８１に出力される。
そして、当該データ信号が、スプリッタポート８１から、図２に示すスプリッタ２１ａのＬＩＮＥポート１５、ハイパスフィルタ回路５１およびモデムポート１７から通信ケーブル７を介してＡＤＳＬモデム１３に出力され、ＡＤＳＬモデム１３で復調された後に、通信ケーブル９を介してパーソナルコンピュータ１４に出力される。
また、パーソナルコンピュータ１４からのデータ信号が、通信ケーブル９を介してＡＤＳＬモデム１３に出力され、ＡＤＳＬモデム１３で変調された後に、スプリッタ２１ａ内のモデムポート１７およびハイパスフィルタ回路５１、ＬＩＮＥポート１５、通信ケーブル６、信号処理装置４０２ａ内のスプリッタポート８１、ハイパスフィルタ回路４０、ＬＩＮＥポート８０、並びに通信ケーブル５を介して通信ポート３に出力される。
【００５８】
以上説明したように、通信システム２０１によっても第１実施形態の通信システム１と同様の効果が得られる。
また、通信システム２０１によれば、接続回路４１８，４１９にコイルＬａ，Ｌｂを設けたことで、データ信号の周波数帯に比べて低い音声周波数帯域における減衰を第２実施形態に比べて小さくでき、第２実施形態に比べて電話機１２ａ，１２ｂに供給する音声信号の振幅レベルを高めることができる。
例えば、図７および図６に示すハイパスフィルタ回路４０として、１５０ｎＦのコンデンサＣ３１，Ｃ３２，Ｃ３３，Ｃ３４を用い、６８０μＨのコイルＬ３１を用い、２１．２ｍＨのコイルＬａ，Ｌｂを用いた場合の図７に示す信号処理装置４０２ａ，４０２ｂの周波数（Ｈｚ）−利得（ｄＢ）の特性は例えば図８に示すようになる。これに対して、例えば、図５に示す信号処理装置３０２ａ，３０２ｂの周波数（Ｈｚ）−利得（ｄＢ）の特性は例えば図９に示すようになる。図８と図９とを対比して分かるように、音声周波数帯域である０〜４ＫＨｚにおいて、本実施形態の信号処理装置４０２ａ，４０２ｂは、第２実施形態の信号処理装置３０２ａ，３０２ｂに比べて高い利得を実現できる。
【００５９】
第３実施形態の変形例
図１０は、前述した第３実施形態の変形例に係わる信号処理装置５０２の構成図である。
本実施形態では、図７に示す信号処理装置４０２ａ，４０２ｂの代わりに、図１０に示す信号処理装置５０２を用いる。
図１０に示すように、信号処理装置５０２は、信号処理装置４０２ａ，４０２ｂと同じ構成要素を有しているが、接続回路５１９においてコイルＬａとコイルＬｂとが相互誘導を生じるように配設されている。
信号処理装置５０２によっても、第３実施形態の信号処理装置４０２ａ，４０２ｂと同様の効果が得られる。
【００６０】
本発明は上述した実施形態には限定されない。
例えば、上述した実施形態では、それぞれ２系列の信号処理装置２ａ，２ｂ，３０２ａ，３０２ｂおよびスプリッタ２１ａ，２１ｂが並列に接続された場合を例示したが、３系列以上の信号処理装置およびスプリッタを並列に接続してもよい。
また、上述した実施形態では、ｘＤＳＬの一例としてＡＤＳＬを例示したが、ＶＤＳＬ（Ｖｅｒｙ　ｈｉｇｈ　ｓｐｅｅｄ　Ｄｉｇｉｔａｌ　Ｓｕｂｓｃｒｉｂｅｒ　Ｌｉｎｅ）　などのその他の通信方式を用いた場合にも本発明は適用可能である。
また、上述した実施形態では、本発明の信号処理装置をスプリッタの前段に設けた場合を適用した場合を例示したが、本発明の信号処理装置をスプリッタ以外にも上述したフィルタを備え、並列接続される信号処理装置の前段に設けてもよい。
【００６１】
また、図１に示す信号処理装置２ｂとして、例えば、図１１に示すように、ＬＩＮＥポート８０、スプリッタポート８１、モデムポート８２、接続回路１８を有し、ハイパスフィルタを備えない信号処理装置５０２ｂを用いてもよい。
【００６２】
【発明の効果】
以上説明したように、本発明によれば、第２のインタフェースに接続された外部装置の動作状態によって第１のインタフェースに生じる信号が減衰することを回避できる信号処理装置を提供することができる。
【図面の簡単な説明】
【図１】図１は、本発明の関連技術の通信システムの全体構成図である。
【図２】図２は、図１に示すスプリッタの構成図である。
【図３】図３は、図２に示すローパスフィルタ回路の構成の一例を説明するための図である。
【図４】図４は、図１に示す通信システムの変形例を説明するための図である。
【図５】図５は、本発明の第１実施形態の通信システムの全体構成図である。
【図６】図６は、図５に示すハイパスフィルタ回路の構成図である。
【図７】図７は、本発明の第２実施形態の通信システムの全体構成図である。
【図８】図８は、図７に示す第２実施形態の通信システムの効果を説明するための図である。
【図９】図９は、図５に示す第１実施形態の通信システムの特性を説明するための図である。
【図１０】図１０は、図７に示す第２実施形態の通信システムの変形例を説明するための図である。
【図１１】図１１は、図１に示す信号処理装置の変形例の構成図である。である。
【符号の説明】
２ａ，２ｂ，１０１ａ，１０１ｂ，３０１ａ，３０１ｂ，４０２ａ，４０２ｂ…信号処理装置、３…通信ポート、５，６，７，８，９，１０，１１…通信ケーブル、２１ａ，２１ｂ…スプリッタ、１２ａ，１２ｂ…電話機、１３…ＡＤＳＬモデム、１４…パーソナルコンピュータ、１８，２１８，２１９，４１８，４１９…接続回路、２０…ローパスフィルタ回路、４０…ハイパスフィルタ回路、
【図１】
2004007549.tif 000003
【図２】
2004007549.tif 000004
【図３】
2004007549.tif 000005
【図４】
2004007549.tif 000006
【図５】
2004007549.tif 000007
【図６】
2004007549.tif 000008
【図７】
2004007549.tif 000009
【図８】
2004007549.tif 000010
【図９】
2004007549.tif 000011
【図１０】
2004007549.tif 000012
【図１１】
2004007549.tif 000013